(57)【要約】      （修正有）【課題】機器本体に対して可動機構を介して支持される表示装置における外力による表示ムラを抑制することができる仕組みを提供する。【解決手段】保護板２１ｂを有する表示モジュール２１と、表示パネル２１ａの表示領域に対応する開口部を有し、裏面側の開口部の周囲に保護板２１ｂが固定される前カバー２２と、表示パネル２１ａに接触しない状態で保護板２１ｂに弾性部材２５を介して当接して前カバー２２に対して表示モジュール２１を保持する保持部材２４ａ，２８と、前カバー２２との間に表示モジュール２１、及び保持部材２４ａ，２８を収納した状態で保持部材２８とともに前カバー２２に固定される後カバー２７とを備える。保持部材２４ａ，２８と後カバー２７装部材との間には、隙間が形成され、保護板２１ｂ又は前カバー２２に外力が加えられた際に、保持部材２４ａ，２８が前記隙間分だけ変位して後カバー２７に当接することで前記外力を受け止める。【選択図】図３
2013174777.tif 000002
【特許請求の範囲】
【請求項１】
機器本体と、前記機器本体に対して可動機構を介して支持される表示装置と、を備える電子機器であって、
前記表示装置は、
表示パネル、及び前記表示パネルの表示面側に一体に固定される保護板を有する表示モジュールと、
前記表示パネルの表示領域に対応する開口部を有し、裏面側の前記開口部の周囲に前記保護板が固定される第１の外装部材と、
前記表示パネルに接触しない状態で前記保護板に当接して前記第１の外装部材に対して前記表示モジュールを保持する保持部材と、
前記第１の外装部材との間に前記表示モジュール、及び前記保持部材を収納した状態で前記保持部材とともに、前記第１の外装部材に固定される第２の外装部材と、を備え、
前記保持部材と前記第２の外装部材との間に隙間が形成され、前記保護板又は前記第１の外装部材に外力が加えられた際に、前記保持部材が前記隙間分だけ変位して前記第２の外装部材に当接することで前記外力を受け止めることを特徴とする電子機器。
【請求項２】
前記保護板と前記保持部材の間に弾性部材が圧縮状態で設けられることを特徴とする請求項１に記載の電子機器。
【請求項３】
前記表示モジュールは、前記表示パネルと前記保護板の間にタッチパネル用センサを有することを特徴とする請求項１又は２に記載の電子機器。
【発明の詳細な説明】
【技術分野】
【０００１】
本発明は、例えばデジタルカメラ、デジタルビデオカメラ、ＰＤＡ、携帯用ディスプレイ装置、携帯型ＰＣ、携帯電話機等の電子機器に関し、特に機器本体に対して可動機構を介して表示装置が支持される電子機器に関する。
【背景技術】
【０００２】
デジタルカメラ等の電子機器に搭載される表示装置では、表示パネルの前面に透明な保護板を配置して、外力による表示パネルの破損や表示ムラを防ぐものがある。しかし、保護板を表示パネルの前面に配置すると、保護板および表示パネルでの反射光により、屋外の視認性が下がる。そのため、表示パネルと保護板とを透明樹脂等の接着剤を介して一体化して表示モジュールとすることで、空気層との界面を減らして外光の反射を抑制し、屋外の視認性を高めることも行われている。
【０００３】
しかし、表示パネルと保護板とを透明樹脂等の接着剤を介して一体化して表示モジュールとした場合、保護板の周囲にかかる外力は、透明樹脂等を介して直接表示パネルに伝わるため、外力により表示パネルが変形して表示ムラを生じやすい。
【０００４】
そこで、表示モジュールの保護板の周囲を外装カバーの非外観面側に配置し、表示モジュールの背面側から弾性部材を介して保持部材を外装カバーに固定することで、表示モジールを保持する構造が提案されている（特許文献１）。
【先行技術文献】
【特許文献】
【０００５】
【特許文献１】特開２０１１−３９４２２号公報
【発明の概要】
【発明が解決しようとする課題】
【０００６】
しかし、上記特許文献１の表示装置では、機器本体に対してヒンジ機構等の可動機構を介して表示装置を支持する電子機器に適用した場合、次の問題が生じる。
【０００７】
すなわち、このような電子機器では、可動機構の重量や容積が加わるため、表示装置の小型化、薄型化が強く要請される。従って、外装カバーについても小型化、薄型化が要求され、特に外装カバーの表示パネルの表示面側には開口部が形成されるため、十分な剛性を確保しにくくなる。このため、外装カバーの表示パネルの表示面側に外力が加わった場合、外装カバーが部分的に変形して、その変形が保護板を介して表示パネルに伝わり、表示ムラが発生しやすくなる。
【０００８】
そこで、本発明は、機器本体に対して可動機構を介して支持される表示装置における外力による表示ムラを抑制することができる仕組みを提供することを目的とする。
【課題を解決するための手段】
【０００９】
上記目的を達成するために、本発明は、機器本体と、前記機器本体に対して可動機構を介して支持される表示装置と、を備える電子機器であって、前記表示装置は、表示パネル、及び前記表示パネルの表示面側に一体に固定される保護板を有する表示モジュールと、前記表示パネルの表示領域に対応する開口部を有し、裏面側の前記開口部の周囲に前記保護板が固定される第１の外装部材と、前記表示パネルに接触しない状態で前記保護板に当接して前記第１の外装部材に対して前記表示モジュールを保持する保持部材と、前記第１の外装部材との間に前記表示モジュール、及び前記保持部材を収納した状態で前記保持部材とともに、前記第１の外装部材に固定される第２の外装部材と、を備え、前記保持部材と前記第２の外装部材との間に隙間が形成され、前記保護板又は前記第１の外装部材に外力が加えられた際に、前記保持部材が前記隙間分だけ変位して前記第２の外装部材に当接することで前記外力を受け止めることを特徴とする。
【発明の効果】
【００１０】
本発明によれば、機器本体に対して可動機構を介して支持される表示装置における外力による表示ムラを抑制することができる。
【図面の簡単な説明】
【００１１】
【図１】（ａ）は本発明の電子機器の実施形態の一例であるデジタルカメラの外観斜視図、（ｂ）は（ａ）に示すデジタルカメラに搭載された表示装置を閉じた状態を示す外観斜視図である。
【図２】表示装置の分解斜視図である。
【図３】図１（ｂ）のＡ−Ａ線断面図である。
【図４】図１（ｂ）のＢ−Ｂ線断面図である。
【図５】図１（ｂ）のＣ−Ｃ線断面図である。
【発明を実施するための形態】
【００１２】
以下、本発明の実施形態の一例を図面を参照して説明する。
【００１３】
図１（ａ）は本発明の電子機器の実施形態の一例であるデジタルカメラの外観斜視図、図１（ｂ）は図１（ａ）に示すデジタルカメラに搭載された表示装置を閉じた状態を示す外観斜視図である。
【００１４】
図１に示すように、本実施形態のデジタルカメラは、カメラ本体１に２軸ヒンジ機構３を介して表示装置２が開閉方向に回動可能、かつ開状態で回転可能に支持されている。また、カメラ本体１の内部には、表示装置２の開閉を検知するための開閉検知センサ４が設けられている。ここで、カメラ本体１は、本発明の機器本体の一例に相当する。
【００１５】
図２は表示装置２の分解斜視図、図３は図１（ｂ）のＡ−Ａ線断面図、図４は図１（ｂ）のＢ−Ｂ線断面図、図５は図１（ｂ）のＣ−Ｃ線断面図である。
【００１６】
図２に示すように、表示装置２は、前カバー２２、表示モジュール２１、弾性部材２５、フレーム部材２４ａ、シャーシ部材２８、及び後カバー２７より構成される。ここで、本実施形態では、フレーム部材２４ａ及びシャーシ部材２８により、本発明の保持部材の一例を構成する。また、前カバー２２は、本発明の第１の外装部材の一例に相当し、後カバー２７は、本発明の第２の外装部材の一例に相当する。
【００１７】
表示モジュール２１は、表示パネル２１ａ、保護板２１ｂ、及びタッチパネル用センサ２１ｅを有する。
【００１８】
表示パネル２１ａは、たとえば液晶表示素子などにバックライト照明装置や拡散板、導光板等を加えてユニット化されている。表示パネル２１ａからはフレキシブル基板２１ｆ（図４参照）が引き出されており、フレキシブル基板２１ｆは、不図示の電気基板に接続されて、表示パネル２１ａへの信号入力や電源の供給を行う。
【００１９】
また、表示パネル２１ａは平板状のタッチパネル用センサ２１ｅを介して保護板２１ｂにのみ一体に接着固定されており、フレキシブル基板２１ｆ以外の他の部材とは直接接触していない。これは、他部材の変形によって表示パネル２１ａが変形し、画面の表示ムラが発生することを抑制するためである。
【００２０】
なお、表示パネル２１ａの接地をフレキシブル基板２１ｆによる電気的接続以外の方法で行う必要がある場合、表示パネル２１ａに不要な圧力がかからない方法で行うことが望ましい。具体的には、例えば、銅箔テープによって表示パネル２１ａとシャーシ部材２８とを電気的に接続する方法等が挙げられる。
【００２１】
保護板２１ｂは、表示パネル２１ａの表示面側を保持する部材である。保護板２１ｂは透光性を有する透明部材で形成されており、たとえば、ポリカーボネートやアクリルを主材料とする樹脂材料や、ガラス材料が用いられる。ガラス材料には、要求される強度や性能に応じ、強化処理や表面改質、コーティング等を行うこともある。
【００２２】
本実施形態では、前カバー２２に表示モジュール２１を固定した際に前カバー２２と保護板２１ｂとの段差を減らすために、保護板２１ｂの周囲に段差加工がなされている。特にタッチパネル用センサ２１ｅを搭載した場合、操作者の指が保護板２１ｂに触れることが多い。従って、保護板２１ｂと前カバー２２との間の段差を小さくして、指が段差に触れた際の違和感を少なくするのが望ましい。このため、本実施形態では、前カバー２２に対し保護板２１ｂがわずかに凹段差になるようにしている。なお、前カバー２２に対し保護板２１ｂがわずかに凸段差になるようにしてもよい。
【００２３】
図３に示すように、表示パネル２１ａとタッチパネル用センサ２１ｅとは、透明樹脂等の接着剤２１ｄを介して固定され、タッチパネル用センサ２１ｅと保護板２１ｂとは、透明樹脂等の接着剤２１ｃを介して固定される。透明樹脂としては、屈折率が空気より高く、また透光性が高い、ＵＶ光の照射や熱によって硬化して固定する樹脂が用いられるが、透明樹脂に代えて両面テープ等を用いてもよい。
【００２４】
タッチパネル用センサ２１ｅは、ガラスやフィルムなどの透明な部材に透明電極が印刷されたものであり、保護板２１ｂに接触ないしは近接する指等の導電部材の位置を検出する。タッチパネル用センサ２１ｅからは不図示のタッチパネル用のフレキシブル基板が引き出されており、フレキシブル基板は、不図示の電気基板に接続されて、信号出力や電力の供給が行われる。
【００２５】
前カバー２２は、金属或いは樹脂等で形成されている。前カバー２２には、表示モジュール２１の表示パネル２１ａの表示領域に対応する開口部２２ａが設けられている。前カバー２２には、表示モジュール２１が裏面側から嵌め込まれる。そして、保護板２１ｂが前カバー２２の裏面の開口部２２ａの周囲に両面テープ２３等を介して固定される。また、かかる固定状態において、フレーム部材２４ａ及びシャーシ部材２８が表示モジュール２１の表示パネル２１の裏面側から前カバー２２に組み込まれる。
【００２６】
フレーム部材２４ａは、前カバー２２と当接する当接面２４ｃ、弾性部材２５を介して保護板２１ｂを前カバー２２の側に付勢する付勢面２４ｄ、後カバー２７と対向する対向面２４ｅ（図３参照）を備える。対向面２４ｅは、図３に示すように、後カバー２７との間に公差上接触しない最小限の隙間を有している。
【００２７】
また、図４に示すように、フレーム部材２４ａには、表示パネル２１ａから引き出されたフレキシブル基板２１ｆと対向する部位に、後カバー２７に沿って内側に延びる突起形状部２４ｂを設けている。突起形状部２４ｂを設けることで、フレーム部材２４ａのフレキシブル基板２１ｆの周辺の形状が略Ｌ字状となり、剛性が増す。
【００２８】
これにより、後カバー２７が表示装置２に加えられた外力によって変形した場合に、フレーム部材２４ａが変形してフレキシブル基板２１ｆが後カバー２７と接触するのを防ぐことができる。また、図５に示すように、フレーム部材２４ａには、カメラ本体１の内部に設けられた開閉検知センサ４の検知用素子としての磁石２６が固定されている。
【００２９】
弾性部材２５は、保護板２１ｂとフレーム部材２４ａの付勢面２４ｄとの間に圧縮した状態で挟まれている。これにより、保護板２１ｂとフレーム部材２４ａとの寸法公差による隙間のばらつきを吸収して、保護板２１ｂにかかる負荷の一部を確実にフレーム部材２４ａへ伝達するとともに、保護板２１ｂを前カバー２２の側へ付勢する。
【００３０】
このとき、フレーム部材２４ａと表示モジュール２１は、弾性部材２５を介して保護板２１ｂにおいてのみ接触し、表示パネル２１ａは、フレーム部材２４ａ及びシャーシ部材２８に対して非接触とされている。なお、弾性部材２５に遮光材料を用いて、表示パネル２１ａのバックライト照明装置から漏れた光が外部に漏れるのを防ぐようにしてもよい。
【００３１】
シャーシ部材２８は、表示パネル２１ａやタッチパネル用センサ２１ｅに接続される不図示の電気基板を固定するとともに、表示装置２の各部材を２軸ヒンジ機構３を介してカメラ本体１に電気的に導通させて接地するための部材である。
【００３２】
シャーシ部材２８には、図４及び図５に示すように、後カバー２７側に延びる突起形状部２８ａが設けられており、突起形状部２８ａは、後カバー２７との間に公差上接触しない最小限の隙間を有して後カバー２７と対向している。シャーシ部材２８は、フレーム部材２４ａの当接面２４ｃが圧縮状態の弾性部材２５を介して前カバー２２に確実に当接するように前カバー２２に取り付けられる。
【００３３】
後カバー２７は、金属或いは樹脂等で形成され、前カバー２２との間に表示モジュール２１、弾性部材２５、フレーム部材２４ａ、及びシャーシ部材２８を収納した状態で、ビス５（図２）等によってシャーシ部材２８と共に前カバー２２に締結されて固定される。後カバー２７は、前カバー２２のように開口部２２ａを有しないため、比較的剛性が高くなっている。
【００３４】
ここで、タッチパネルの操作時や衝撃等で表示装置２の表示面側から保護板２１ｂや前カバー２２に対して外力が加わると、当該外力は、弾性部材２５を介してフレーム部材２４ａおよびシャーシ部材２８に伝わる。そして、フレーム部材２４ａの対向面２４ｅやシャーシ部材２８の突起形状部２８ａが上述した隙間分だけ変位して後カバー２７に当接することで、後カバー２７の剛性を利用して前記外力を受け止める。
【００３５】
以上説明したように、本実施形態では、比較的剛性が低い前カバー２２側に外力が加わっても、当該外力は、表示パネル２１ａを経由することなく、比較的剛性の高い後カバー２７で受け止められる。これにより、外力による保護板２１ｂの変形を抑えることができ、カメラ本体１に対して２軸ヒンジ機構３を介して回動可能に支持される表示装置２における表示パネル２１ａの表示ムラを抑制することができる。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【００３７】
例えば、上記実施形態では、可動機構として２軸ヒンジ機構３を例示したが、これに限定されず、１軸や３軸以上のヒンジ機構の他、ボールジョイント式やスライド式の可動機構であってもよい。
【符号の説明】
【００３８】
１  カメラ本体
２  表示装置
３  ２軸ヒンジ機構
２１  表示モジュール
２１ａ  表示パネル
２１ｂ  保護板
２１ｅ  タッチパネル用センサ
２４ａ  フレーム部材
２５  弾性部材
２８  シャーシ部材
【図１】
2013174777.tif 000003
【図２】
2013174777.tif 000004
【図３】
2013174777.tif 000005
【図４】
2013174777.tif 000006
【図５】
2013174777.tif 000007